(57)【要約】      （修正有）【課題】電源オフ中での撮影レンズの着脱により光学部材に付着したゴミを効果的に除去して、画像品質の低下を防止することができる撮像装置を提供する。【解決手段】この撮像装置は、撮影レンズの着脱に連動して移動する可動部の位置情報が電源がオフされたとき（ステップＳ１０２）と電源がオンされたとき（ステップＳ１０６）とで異なる場合（ステップＳ１０７のＮｏ）には、電源がオフ中に撮影レンズの着脱が行われたと判定され、光学部材の清掃を促す警告が出される。【選択図】図１３
2008033155.tif 000002
【特許請求の範囲】
【請求項１】
撮影レンズが着脱可能に係止される撮像装置において、
前記撮影レンズの着脱に連動して移動する可動部と、
該可動部の位置を検知する位置検知手段と、
該位置検知手段によって検知された前記可動部の位置情報に基づいて前記撮影レンズの着脱が行われたか否かを判定する判定手段と、
を備える、
ことを特徴とする撮像装置。
【請求項２】
前記判定手段が前記撮影レンズの着脱が行われたと判定したときに、光学部材の清掃に関する処理を実行する処理手段を備えることを特徴とする請求項１に記載の撮像装置。
【請求項３】
前記光学部材は、前記撮影レンズから入射した光を電気信号に変換する撮像素子と該撮影レンズとの間に配置される、
ことを特徴とする請求項１又は２に記載の撮像装置。
【請求項４】
前記位置検知手段によって検知された前記可動部の位置情報を記憶する記憶手段を備え、
前記判定手段は、前記記憶手段に記憶された位置情報に基づいて前記撮影レンズの着脱が行われたか否かを判定する、
ことを特徴とする請求項１〜３のいずれか一項に記載の撮像装置。
【請求項５】
前記判定手段は、電源オフ操作後の前記可動部の位置情報と電源オン操作後の前記可動部の位置情報とが異なる場合に、前記撮影レンズの着脱が行われたと判定する、
ことを特徴とする請求項１〜４のいずれか一項に記載の撮像装置。
【請求項６】
前記撮影レンズの係止を解除操作する係止解除操作部材を備え、
該係止解除操作部材の操作に連動して前記可動部が移動する、
ことを特徴とする請求項１〜５のいずれか一項に記載の撮像装置。
【請求項７】
前記係止解除操作部材の操作に連動して前記撮影レンズの光軸方向に移動可能な直進部材と、該直進部材にカム係合部を介して連設され、前記可動部が設けられた回転部材と、を備え、前記直進部材の光軸方向への移動を前記カム係合部のカム作用により前記回転部材の回転運動に変換する、
請求項６に記載の撮像装置。
【請求項８】
前記撮影レンズを係止する係止部を備え、該係止部への前記撮影レンズの着脱動作に連動して前記可動部が移動する、
ことを特徴とする請求項１〜５のいずれか一項に記載の撮像装置。
【請求項９】
前記係止部への前記撮影レンズの着脱動作に連動して光軸方向に移動可能な直進部材と、該直進部材にカム係合部を介して連設され、前記可動部が設けられた回転部材と、を備え、前記直進部材の光軸方向への移動を前記カム係合部のカム作用により前記回転部材の回転運動に変換する、
ことを特徴とする請求項８に記載の撮像装置。
【請求項１０】
前記係止部は、円周方向に複数配置された円弧状のバヨネット爪を備え、前記直進部材は、円周方向に互いに隣り合う各バヨネット爪間に配置される、
ことを特徴とする請求項９に記載の撮像装置。
【請求項１１】
前記位置検知手段は、前記可動部に設けられた導電部材と、複数の導電パターンを有する電気回路部材と、を備え、前記電気回路部材は、前記導電部材の位置により少なくとも２つの位置情報を検知する、
ことを特徴とする１〜１０に記載の撮像装置。
【請求項１２】
前記撮影レンズの係止を解除操作する係止解除操作部材と、前記可動部を駆動する駆動手段と、を備え、
前記可動部は、第１の位置と第２の位置とに移動可能とされるとともに、電源がオフ操作されたときに前記駆動手段により前記第１の位置に移動するように駆動されて、該第１の位置に保持され、且つ前記係止解除操作部材が操作されたときに該係止解除操作部材に連動して前記第２の位置に移動して、該第２の位置に保持され、
前記判定手段は、電源オフ操作後の前記可動部の位置情報と電源オン操作後の前記可動部の位置情報とが異なる場合に、前記撮影レンズの着脱が行われたと判定する、
ことを特徴とする請求項１〜３のいずれか一項に記載の撮像装置。
【請求項１３】
前記撮影レンズを係止する係止部と、前記可動部を駆動する駆動手段と、を備え、
前記可動部は、第１の位置と第２の位置とに移動可能とされるとともに、電源がオフ操作されたときに前記駆動手段により前記第１の位置に移動するように駆動されて、該第１の位置に保持され、且つ前記係止部への前記撮影レンズの着脱動作に連動して前記第２の位置に移動して、該第２の位置に保持され、
前記判定手段は、電源オフ操作後の前記可動部の位置情報と電源オン操作後の前記可動部の位置情報とが異なる場合に、前記撮影レンズの着脱が行われたと判定する、
ことを特徴とする請求項１〜３のいずれか一項に記載の撮像装置。
【請求項１４】
前記係止部は、円周方向に複数配置された円弧状のバヨネット爪を備え、前記可動部は、円周方向に互いに隣り合う各バヨネット爪間に配置される、
ことを特徴とする請求項１３に記載の撮像装置。
【請求項１５】
前記可動部は、前記撮影レンズの光軸方向に移動可能とされ、該可動部を光軸方向の一端もしくは他端に付勢するトグルバネを備える、
ことを特徴とする請求項１２〜１４のいずれか一項に記載の撮像装置。
【請求項１６】
前記位置検知手段は、前記可動部の位置を光学的に検知する、
ことを特徴とする１２〜１５のいずれか一項に記載の撮像装置。
【請求項１７】
前記位置検知手段は、前記可動部の位置を電気的に検知する、
ことを特徴とする１２〜１５のいずれか一項に記載の撮像装置。
【請求項１８】
前記光学部材に振動を付与する振動部を備え、
前記処理手段は、前記判定手段が前記撮影レンズの着脱が行われていないと判定したときに、前記振動部を第１の制御で駆動し、前記判定手段が前記撮影レンズの着脱が行われたと判定したときに、前記振動部を第２の制御で駆動する、
ことを特徴とする請求項１〜１７のいずれか一項に記載の撮像装置。
【請求項１９】
前記第１の制御が、前記振動部を駆動しない制御であり、前記第２の制御が、前記振動部を所定の時間駆動する制御である、
ことを特徴とする請求項１８に記載の撮像装置。
【請求項２０】
前記第１の制御が、前記振動部を所定の時間駆動する制御であり、前記第２の制御が、前記振動部を前記第１の制御よりも長い時間駆動する制御である、
ことを特徴とする請求項１８に記載の撮像装置。
【請求項２１】
前記処理手段は、前記判定手段が前記撮影レンズの着脱が行われたと判定したときに、前記光学部材の清掃を促す警告処理を実行する、
ことを特徴とする請求項１〜１７のいずれか一項に記載の撮像装置。
【発明の詳細な説明】
【技術分野】
【０００１】
本発明は、撮影レンズが着脱可能に係止されるデジタル一眼レフカメラ等の撮像装置に関する。
【背景技術】
【０００２】
従来、この種の撮像装置においては、撮影レンズと該撮影レンズから入射した光を電気信号に変換する撮像素子との間に配置されたローパスフィルター等の光学部材に付着したゴミによる画像品質の低下を防止する対策がなされている。
【０００３】
例えば、ローパスフィルターと撮影レンズとの間に配置された部材を超音波振動させ、付着したゴミを除去する撮像装置が実用化されている。また、着脱可能なローパスフィルターの着脱回数をカウントし、所定の回数になるとローパスフィルターの清掃を促すものや（例えば、特許文献１参照）、また、撮影レンズ等の装着に応じてゴミ除去機構を動作させる撮像装置が提案されている（例えば、特許文献２参照）。
【特許文献１】特開２０００−１２５１５２号公報
【特許文献２】特開２００３−３３００８２号公報
【発明の開示】
【発明が解決しようとする課題】
【０００４】
しかし、上記特許文献１および特許文献２では、いずれも電源オフの状態や、電池が抜かれた状態での撮影レンズの交換に対応する技術は開示されていない。撮影レンズが交換可能な撮像装置の使用状況を考えると、撮影レンズの交換は電源オフの状態で成されることが多い。従って、ゴミが撮像装置内に侵入して光学部材の表面に付着する頻度は、電源オフの状態の方が高いとも言える。しかし、上記文献のように電気的に撮影レンズ等の着脱を検知する場合、電源オフの状態でなされた撮影レンズ交換は検知が不可能である。
【０００５】
一方、レンズの着脱の有無に関わらず、電源のオン時に常にゴミ除去機構を動作させるとすると、レンズの着脱を伴うことなく短時間にオン／オフが繰り返されたり、スリープ状態（一時的に動作を停止した節電状態）からオン状態に復帰した場合に不都合を生じる。つまり、不必要にゴミ除去機構が動作することになり、消費電力や動作耐久の観点から好ましくはない。従って、電源オフの状態で撮影レンズの着脱が成されたか否かを、再度電源がオンされた時に検知できることが重要となる。
【０００６】
そこで、本発明は、光学部材に付着したゴミを効果的に除去して画像品質の低下を防止するために、電源オフの状態での撮影レンズの着脱の有無を再度電源がオンされた時に検知することができる撮像装置を提供することを目的とする。
【課題を解決するための手段】
【０００７】
上記目的を達成するために、請求項１に記載の撮像装置は、撮影レンズが着脱可能に係止される撮像装置において、前記撮影レンズの着脱に連動して移動する可動部と、該可動部の位置を検知する位置検知手段と、該位置検知手段によって検知された前記可動部の位置情報に基づいて前記撮影レンズの着脱が行われたか否かを判定する判定手段と、を備えることを特徴とする。
【発明の効果】
【０００８】
本発明によれば、撮影レンズの着脱に連動して移動する可動部の位置情報が電源がオフされたときと電源がオンされたときとで異なる場合には、電源オフ中に撮影レンズの着脱が行われたと判定される。
【０００９】
この判定結果を利用してゴミ除去機構を駆動させたりすることで、光学部材に付着したゴミを効果的に除去することができ、ゴミの画像への写り込みが回避されて画像品質の低下を防止することができる。
【発明を実施するための最良の形態】
【００１０】
以下、本発明の実施の形態を図を参照して説明する。
【００１１】
図１は本発明の第１の実施形態であるデジタル一眼レフカメラを撮影レンズユニットを外した状態で被写体側から見た斜視図、図２は本発明の第１の実施形態であるデジタル一眼レフカメラの制御ブロック図である。
【００１２】
図１に示すように、本発明の第１の実施形態であるデジタル一眼レフカメラ（撮像装置）は、カメラ本体１００にバヨネット機構を介して撮影レンズユニットＡ１６（図２参照）を装着するためのレンズマウント１０５が設けられている。カメラ本体１００には、装着された撮影レンズユニットＡ１６の種類を識別する通信ピン１１４が設けられている。
【００１３】
次に、図１および図２を参照して、撮影者が撮影を行う際の動作を説明する。
【００１４】
図１および図２に示すように、撮影者がカメラ本体１００に撮影レンズユニットＡ１６を装着し、電源操作部材１０２をオン位置へ操作すると、カメラマイコンＡ０１はカメラを起動させ、撮影レンズユニットＡ１６を認識する。撮影者がモードダイヤル１０１を所望の撮影モードにセットし、電子ダイヤル１０３を操作すると、カメラマイコンＡ０１は操作部Ａ０２の信号により、撮影条件をセットする。
【００１５】
撮影者が撮影条件を設定した後、レリーズボタン１０４を押し込むと、カメラマイコンＡ０１はセンサーＡ０３を駆動する。例えば、ＡＦユニット１１６により測距が行われ、不図示の測光ユニットにより測光が行われ、必要であれば内蔵ストロボ１１０が所定の位置に駆動される。その後、レリーズボタン１０４が更に押し込まれると、カメラマイコンＡ０１は撮影駆動部Ａ０４を駆動する。これにより、クイックリターンミラー１１５が撮影光路から退避駆動されるとともに、シャッターＡ０５のシャッター幕が撮影光路から退避駆動され、被写体の結像光が光学部材Ａ１３を通過して、電子撮像素子Ａ０６に露光される。電子撮像素子Ａ０６で光電変換された電気信号は画像処理部Ａ０７により所定のデータへ変換された後、外部メモリＡ０８に記録される。
【００１６】
撮影者が撮影レンズユニットＡ１６をカメラ本体１００から外す際には、前カバー１１２に保持されている撮影レンズロック解除ボタン（係止解除操作部材）１０７（以下、アンロックボタン１０７という）を押し込む。アンロックボタン１０７が押し込まれると、撮影レンズロックピン１１３（以下、ロックピン１１３という）が連動してレンズマウント１０５からカメラ内部に潜り込む。ロックピン１１３が潜り込むことで、撮影レンズユニットＡ１６は回転可能な状態となり、撮影者が撮影レンズユニットＡ１６全体を回転操作することでバヨネット係止が外れ、撮影レンズユニットＡ１６をカメラ本体１００から取り外すことができる。
【００１７】
図３は、アンロックボタン１０７およびアンロックボタン１０７の操作に合わせて連動する機構を示す図である。なお、図３では、前カバー１１２は破断表示している。
【００１８】
図３に示すように、アンロックボタン１０７には前カバー１１２に嵌合する嵌合軸１０７−ａが設けられており、嵌合軸１０７−ａにはアンロックボタン１０７を前カバー１１２から被写体側に突出させるための圧縮バネ１０７−１が外挿される。前カバー１１２には嵌合穴１１２−ｂが設けられ、アンロックボタン１０７が撮影レンズの光軸方向に進退可能に保持されている。前カバー１１２のカメラ内部側にはカム部１１２−ａ（以下、カバー・カム１１２という）が設けられている。
【００１９】
アンロックボタン１０７の嵌合軸１０７−ａ先端には直進カム部材（直進部材）１０７−２が前カバー１１２のカメラ内部側から不図示のビスで固定されている。アンロックボタン１０７は、圧縮バネ１０７−１の付勢力により前カバー１１２から脱落しないようになっている。
【００２０】
直進カム部材１０７−２には、カム部１０７−２−ａ（以下、ボタン・カム１０７−２−ａという）が設けられている。アンロックボタン１０７と直進カム部材１０７−２とは一体に固定され、回転が規制された状態で撮影レンズの光軸方向に移動可能に前カバー１１２に保持されている。
【００２１】
前カバー１１２のカメラ内部壁には位相パターンが設けられた位相フレキ（位置検知手段）１０７−３が固定され、位相フレキ１０７−３には、位相パターンの位相検知に用いる接点ブラシ（可動部）１０７−４が接している。接点ブラシ１０７−４は、アンロックボタン１０７の操作に連動して回転する回転カム部材（回転部材）１０７−５に固定される。
【００２２】
回転カム部材１０７−５には、カム部１０７−５−ａ（以下、回転・カム１０７−５−ａという）が設けられている。回転・カム１０７−５−ａは、上述したカバー・カム１１２−ａ、ボタン・カム１０７−２−ａと係合することで回転カム部材１０７−５を回転駆動する。回転カム部材１０７−５には、嵌合軸１０７−５−ｂが設けられている。嵌合軸１０７−５−ｂは、カム地板１０７−７に設けられた地板嵌合穴１０７−７−ａに嵌合して、撮影レンズの光軸方向に進退可能に、且つ軸周りに回転可能になっている。
【００２３】
回転カム部材１０７−５に設けられた嵌合軸１０７−５−ｂには、回転カム部材１０７−５を被写体側に付勢する圧縮バネ１０７−６が外挿されている。カム地板１０７−７は、前カバー１１２に不図示のビスで固定される。
【００２４】
図４は、アンロックボタン１０７が操作されていない状態を示している。なお、前カバー１１２は破断表示している。
【００２５】
図４に示すように、アンロックボタン１０７にはロックピン１１３との連動部材１１３−１が当接可能に配置され、ロックピンバネ１１３−２により、ロックピン１１３がレンズマウント１０５から突出するように付勢されている。アンロックボタン１０７は前カバー１１２との間に配置された圧縮バネ１０７−１により被写体側に付勢され、直進カム部材１０７−２がストッパーとなって所定の位置に保持されている。カバー・カム１１２−ａと回転・カム１０７−５−ａとが当接した状態で、圧縮バネ１０７−６の付勢力により、不用意に回転カム部材１０７−５が回転しないように保持されている。
【００２６】
図５は、カバー・カム１１２−ａ、ボタン・カム１０７−２−ａをカメラ内部側から見た図である。
【００２７】
図５に示すように、ボタン・カム１０７−２−ａは、カバー・カム１１２−ａの内側に配置されている。カバー・カム１１２−ａは前カバー１１２のカメラ内側に該前カバー１１２と一体に成形されており、ボタン・カム１０７−２−ａはアンロックボタン１０７の移動と共に撮影レンズの光軸方向に移動可能であるが、回転は規制されている。カバー・カム１１２−ａ、ボタン・カム１０７−２−ａにはそれぞれ６０°毎に６ヶ所のカムが設けられており、カバー・カム１１２−ａの位相とボタン・カム１０７−２−ａの位相とは３０°程度ずらして配置されている。
【００２８】
図６は、回転カム部材１０７−５を被写体側から見た図である。
【００２９】
図６に示すように、回転・カム１０７−５−ａには１２０°毎に３ヶ所のカムが設けられており、カバー・カム１１２−ａ、ボタン・カム１０７−２−ａと当接可能なようにカム部の長さが設定されている。回転カム部材１０７−５は回転・カム１０７−５−ａがカバー・カム１１２−ａ、ボタン・カム１０７−２−ａと当接することで被写体側から見て反時計回りに回転する。
【００３０】
図７は、アンロックボタン１０７が操作されていない状態を示している。なお、前カバー１１２は破断表示している。
【００３１】
図７に示すように、アンロックボタン１０７が操作されていない状態では、カバー・カム１１２−ａと回転・カム１０７−５−ａとが当接した状態で保持され、接点ブラシ１０７−４は位相フレキ１０７−３と接触した状態である。
【００３２】
そして、図８に示すように、アンロックボタン１０７が押し込み操作されると、直進カム部材１０７−２がアンロックボタン１０７と共に撮影者側に移動し、ボタン・カム１０７−２−ａが回転・カム１０７−５−ａに当接し始める。ボタン・カム１０７−２−ａが回転・カム１０７−５−ａに当接すると、互いのカム面の係合により、回転カム部材１０７−５が撮影者側に移動しつつ、回転し始める。回転カム部材１０７−５の回転・カム１０７−５−ａがカバー・カム１１２−ａよりも撮影者側まで移動したとき、すなわち、カバー・カム１１２−ａと当接しない位置に移動したときには３０°程度回転している。
【００３３】
アンロックボタン１０７が押し込まれた状態では、回転カム部材１０７−５が撮影者側に移動しており、回転カム部材１０７−５に固定されている接点ブラシ１０７−４は位相フレキ１０７−３と接触していない。その後、アンロックボタン１０７から指が離れると、圧縮バネ１０７−１の付勢力によりアンロックボタン１０７と直進カム部材１０７−２とは被写体側に移動し始める。
【００３４】
直進カム部材１０７−２が被写体側に移動すると、圧縮バネ１０７−６の付勢力により回転カム部材１０７−５も被写体側に移動する。このとき、回転カム部材１０７−５はアンロックボタン１０７の押し込み操作前よりも３０°程度回転しているため、アンロックボタン１０７の押し込み操作前のカバー・カム１１２−ａの位相の反時計回り隣の位相のカム面と当接し始め、圧縮バネ１０７−６の付勢力による被写体側への移動と共にカバー・カム１１２−ａによって、更に反時計回りに３０°程度回転させられる。
【００３５】
図９はアンロックボタン１０７の操作が終了した状態を示しており、図７の状態と比較すると、アンロックボタン１０７の操作一回で回転カム部材１０７−５は６０°回転し、その状態を保持される。回転カム部材１０７−５がカバー・カム１１２−ａと噛み合う所定の位置まで被写体側に寄せられているので、回転カム部材１０７−５に固定された接点ブラシ１０７−４は位相フレキ１０７−３と接触している。
【００３６】
図１０は、位相フレキ１０７−３に配置された導電パターンを撮影者側から見た図である。図１０に示すように、位相フレキ１０７−３には、６０°毎に６通りのパターンを配置し、導通状態を検知することで、６通りの配置を検知することができる。例えば、図１１は図７に対応する接点ブラシ１０７−４の配置であり、位相フレキ１０７−３のパターンＡの位置に接点ブラシ１０７−４が配置されている。また、図１２は図９に対応する接点ブラシ１０７−４の配置であり、位相フレキ１０７−３のパターンＢの位置に接点ブラシ１０７−４が配置されている。アンロックボタン１０７の操作一回で、回転カム部材１０７−５が６０°回転するため、回転カム部材１０７−５に固定された接点ブラシ１０７−４も６０°回転し、接点部が隣り合う位相パターンへ移動する。
【００３７】
なお、この実施形態では、カバー・カム１１２−ａ、ボタン・カム１０７−２−ａの配置を６０°毎とし、位相フレキ１０７−３の導電パターンの配置を６パターンとして６つの位置情報を識別可能としているが、少なくとも２つの位置情報が識別可能であればよい。
【００３８】
このように、この実施形態では、撮影レンズユニットＡ１６をカメラ本体１００から外す際にアンロックボタン１０７が一度でも操作されると、位相フレキ１０７−３の信号が異なるように接点ブラシ１０７−４が回転する。従って、位相フレキ１０７−３の位相信号を比較することで、撮影レンズユニットＡ１６が着脱されたか否かを判定することができる。
【００３９】
次に、図２および図１３を参照して、本発明の第１の実施形態であるデジタル一眼レフカメラの動作の一例を説明する。ここで、図１３において、電源オンとは、撮影者が操作部Ａ０２を操作した場合に、操作した操作部Ａ０２に対応する動作を行う状態である。電源オフとは、撮影者が電源操作部以外の操作部Ａ０２を操作しても、操作した操作部Ａ０２に対応する動作を行わない状態であり、電源操作部が操作された場合には、操作した操作を行わせる状態へ移行する。また、電源オフには、一時的に動作を停止した節電状態であるスリープ状態を含んでも良い。この場合、例えばレリーズボタン１０４を操作するなど、撮影に関する操作を行ったときには操作を行わせる状態へ移行するが、それ以外の場合には操作に対応する動作を行わない。撮影レンズユニットＡ１６の着脱動作は、撮影に関する直接的な動作ではないので、スリープ状態は維持される。なお、電源オンの状態からスリープ状態への移行は、操作部Ａ０２が所定時間操作されなかった場合に実行されるものとする。
【００４０】
まず、ステップＳ１００で電源操作部材１０２により電源オフ操作がなされると、ステップＳ１０１に移行する。ステップＳ１０１では、位置検知手段Ａ０９である位相フレキ１０７−３により電源オフ操作直後の接点ブラシ１０７−４の位置情報が検知される。
【００４１】
次に、ステップＳ１０２で、位相フレキ１０７−３により検知された電源オフ操作直後の接点ブラシ１０７−４の位置情報が内部メモリ（記憶手段）Ａ１０に記録される。なお、この実施形態では、電源オフ操作直後に接点ブラシ１０７−４の位置情報を検知して記録するようにしているが、これに代えて、定期的に接点ブラシ１０７−４の位置情報を検知して、電源オフ直前の位置情報を記録するようにしてもよい。
【００４２】
ステップＳ１０２で接点ブラシ１０７−４の位置情報が内部メモリＡ１０に記録された後、ステップＳ１０３に移行して、カメラは電源オフ状態となる。
【００４３】
電源操作部材１０２の操作により電源がオフ状態となると、システムは終了し、次に電源操作部材１０２によりオン操作が成されるまで、他の操作部材が操作されても対応する動作を行わない（ステップＳ１０４）。なお、ステップＳ１０４においては、スリープ状態からオン状態へ復帰するレリーズボタン１０４の操作に関しては、割込み処理で操作の有無のチェックを行うようにしても良い。
【００４４】
ステップＳ１０４で電源オン操作が行われたと判断されると、電源はオン状態となり、システムが起動してステップＳ１０５に移行する。
【００４５】
ステップＳ１０５では、位置検知手段Ａ０９である位相フレキ１０７−３により電源オン操作直後の接点ブラシ１０７−４の位置情報が検知され、ステップＳ１０６で、位相フレキ１０７−３により検知された電源オン操作直後の接点ブラシ１０７−４の位置情報が内部メモリ（記憶手段）Ａ１０に記録される。
【００４６】
電源オン操作直後の接点ブラシ１０７−４の位置情報が内部メモリＡ１０に記録された後、ステップＳ１０７で判定手段Ａ１１により、内部メモリＡ１０に記録された電源オフ操作直後の位置情報と電源オン操作直後の位置情報とが比較される。そして、位置情報が一致する場合は、撮影レンズの着脱が行われていないと判定されてステップＳ１０９に移行して、撮影待機状態となる。一方、位置情報が異なる場合は、撮影レンズの着脱が行われたと判定されてステップＳ１０８に移行し、ローパスフィルター（以下、ＬＰＦという）等の光学部材Ａ１３の清掃を促す等の警告信号を出力した後、ステップＳ１０９に移行して撮影待機状態となる。
【００４７】
光学部材Ａ１３の清掃を促す例としては、カメラマイコン（処理手段）Ａ０１により表示手段Ａ１２（例えば撮影画像確認用の液晶表示装置）に「ゴミが写り込む可能性があります」や、「ローパスフィルターの清掃をお勧めします」等を表示させることが望ましい。また、音によって光学部材Ａ１３の清掃を促す警告を発するようにしてもよい。
【００４８】
以上説明したように、この実施形態では、アンロックボタン１０７の操作に連動して移動する接点ブラシ１０７−４の位置情報が電源オフ時と電源オン時とで異なる場合には、電源オフ中に撮影レンズの着脱が行われたと判定され、光学部材Ａ１３の清掃を促す警告処理が実行される。
【００４９】
これにより、電源オフ状態や、電池が抜かれた状態で撮影レンズの着脱が行われて光学部材Ａ１３にゴミが付着したとしても、前記警告により光学部材Ａ１３に付着したゴミを除去してから撮影することができる。この結果、ゴミの画像への写り込みが回避されて画像品質の低下を防止することができる。なお、電源オン状態であっても、アンロックボタン１０７の操作に連動して移動する接点ブラシ１０７−４の位置情報を比較して撮影レンズの着脱を判定してもよい。
【００５０】
次に、図１４〜図２３を参照して、本発明の第２の実施形態であるデジタル一眼レフカメラを説明する。図１４は本発明の第２の実施形態であるデジタル一眼レフカメラのレンズマウント周辺部を被写体側から見た図であり、撮影レンズユニットを外した状態を示している。なお、上記第１の実施形態と重複する部分については各図に同一符号を付してその説明を省略する。
【００５１】
図１４に示すように、レンズマウント１０５には撮影レンズユニットＡ１６をバヨネット係止するためのカメラ本体１００側のバヨネット爪（係止部）１０５−ａが６０°程度の領域に１２０°毎に３ヶ所設けられている。円周方向に互いに隣り合う各バヨネット爪１０５−ａ間（撮影レンズユニットＡ１６をカメラ本体１００に着脱する際に、撮影レンズユニットＡ１６のバヨネット爪２５０−ａ（図１８参照）が通過する領域）には、連動ピン（直進部材）２００が配置されている。
【００５２】
連動ピン２００はクイックリターンミラー１１５を内包するミラーボックス２０１に撮影レンズの光軸方向に進退可能であるが、回転を規制された状態で取り付けられている。なお、この実施形態では、アンロックボタン２０４の近傍に連動ピン２００を配置したが、バヨネット爪１０５−ａを避けた位置であればアンロックボタン２０４の近傍以外に配置してもよい。
【００５３】
図１５はミラーボックス２０１を撮影者側から見た図である。カメラ本体１００側のバヨネット爪１０５−ａへの撮影レンズユニットＡ１６の着脱動作に連動する機構はカム地板２０３がミラーボックス２０１に不図示のビスにより固定されることで、ミラーボックス２０１に固定される。
【００５４】
ミラーボックス２０１には、図１６に示すように、レンズマウント１０５が固定されており、撮影レンズユニットＡ１６が着脱可能とされている。ミラーボックス２０１には貫通穴２０１−ｂが設けられており、貫通穴２０１−ｂには連動ピン２００の嵌合軸２００−ｂが回転を規制された状態で嵌合している。
【００５５】
また、連動ピン２００には、上記第１の実施形態のボタン・カム１０７−２−ａと同一形状の連動・カム２００−ａが一体に成形されている。連動・カム２００−ａの内径側には、連動ピン２００を被写体側に付勢する圧縮バネ２０２が配置されている。ミラーボックス２０１の撮影者側内壁には上記第１の実施形態のカバー・カム１１２−ａと同一形状のミラーボックス・カム２０１−ａが設けられている。
【００５６】
連動・カム２００−ａ、ミラーボックス・カム２０１−ａとカム係合する部材として、上記第１の実施形態と同様に、回転カム部材（回転部材）１０７−５が配置され、回転カム部材１０７−５には接点ブラシ（可動部）１０７−４、圧縮バネ１０７−６が取り付けられている。また、ミラーボックス・カム２０１−ａの周辺部には、接点ブラシ１０７−４の位置を検知する導電パターンを有する位相フレキ（位置検知手段）１０７−３が配置されている。
【００５７】
回転カム部材１０７−５が回転駆動されて、接点ブラシ１０７−４の位置を位相フレキ１０７−３で検知する動作については上記第１の実施形態と同様であるため説明を省略する。
【００５８】
次に、カメラ本体１００側のバヨネット爪１０５−ａへの撮影レンズユニットＡ１６の着脱動作に連動する機構の動作について説明する。
【００５９】
図１７に示すように、レンズマウント１０５の撮影者側にはバヨネット保持バネ２０４が配置されており、バヨネット保持バネ２０４は撮影レンズユニットＡ１６が装着された際に、バヨネット爪１０５−ａに撮影レンズの光軸方向の付勢力を与える。
【００６０】
図１８は、レンズマウント１０５に撮影レンズユニットＡ１６の撮影レンズマウント２５０が挿入された状態を示している。なお、図１８では、撮影レンズユニットＡ１６は撮影レンズマウント２５０以外の図示を省略している。撮影レンズマウント２５０にもレンズ側バヨネット爪２５０−ａが１２０°毎に３ヶ所設けられている。
【００６１】
撮影レンズマウント２５０をレンズマウント１０５に挿入した際にはレンズ側バヨネット爪２５０−ａは所定の位相で組み付けられるが、本体側バヨネット爪１０５−ａには干渉しない位相となっている。連動ピン２００は撮影レンズマウント２５０の挿入時にレンズ側バヨネット爪２５０−ａの撮影者側の端面に押されて、撮影者側に移動して、ミラーボックス２０１に潜り込む。このときの動作が上記第１の実施形態におけるアンロックボタン１０７の押し込み操作に相当する。
【００６２】
図１９は撮影レンズユニットＡ１６の撮影レンズマウント２５０をレンズマウント１０５へ挿入した後、撮影レンズユニットＡ１６を所定の位相まで約６０°回転させた状態を示している。この状態では、本体側バヨネット爪１０５−ａとレンズ側バヨネット爪２５０−ａとがバヨネット保持バネ２０４を介して互いに付勢された状態で保持されている。また、連動ピン２００が設けられている領域は、撮影レンズユニットＡ１６が回転することでレンズ側バヨネット爪２５０−ａが無い領域となる。このため、連動ピン２０は圧縮バネ２０２の付勢力により被写体側へ移動させられ、ミラーボックス２０１の端面から突出した状態で保持される。
【００６３】
次に、図２０〜図２３を参照して、上記動作を詳述する。
【００６４】
図２０は撮影レンズユニットＡ１６がレンズマウント１０５に装着されようとしている状態を示しており、連動ピン２００はミラーボックス２０１の端面より突出した状態にある。
【００６５】
図２１は撮影レンズユニットＡ１６がレンズマウント１０５に装着される際に所定の位相で撮影レンズユニットＡ１６が押し込まれた状態を示しており、連動ピン２００がレンズ側バヨネット爪２５０−ａの端面に押されて撮影者側に移動している。
【００６６】
図２２は撮影レンズユニットＡ１６を所定の位相まで回転させる途中の状態であり、撮影レンズユニットＡ１６が約３０°程度回転した状態を示している。図２２では、レンズ側バヨネット爪２０５−ａが図の下方に移動したように表示されているが、レンズ側バヨネット爪２０５−ａは撮影レンズの光軸周りに回転している。また、レンズ側バヨネット爪２５０−ａが連動ピン２００に設けられたテーパー部２００−ｃから抜け始めており、圧縮バネ２０４の付勢力とテーパー部２００−ｃとにより連動ピン２００が被写体側へ移動し始めている。
【００６７】
図２３は撮影レンズユニットＡ１６の所定の位相までの回転が終了し、カメラ本体１００への装着が完了した状態を示している。この状態では、連動ピン２００は初期の位置まで移動して保持されている。なお、撮影レンズユニットＡ１６をカメラ本体１００から外す際の動作は、上述した撮影レンズユニットＡ１６を装着する際の動作の逆の動作となるだけであるので説明を省略する。
【００６８】
上述した一連の動作が上記第１の実施形態のアンロックボタン１０７を押し込み、指を離す操作に相当し、回転カム部材１０７−５と接点ブラシ１０７−４は、ミラーボックス・カム２０１−ａと連動・カム２００−ａと回転・カム１０７−５−ａとの当接により回転する。
【００６９】
そして、接点ブラシ１０７−４が回転することにより、上記第１の実施形態と同様に、位相フレキ１０７−３で検知する位相信号が変化し、撮影レンズユニットＡ１６が着脱されたか否かを判定することができる。なお、本実施形態では、撮影レンズユニットの装着時の動作を説明したが、カメラを使用しない場合にレンズマウント１０５に装着されるレンズマウントキャップの装着時の動作も上記と同様である。
【００７０】
以上説明したように、この実施形態では、バヨネット爪１０５−ａへの撮影レンズユニットＡ１６の着脱動作に連動する接点ブラシ１０７−４の位置情報が電源オフ時と電源オン時とで異なる場合には、電源オフ中に撮影レンズの着脱が行われたと判定され、光学部材Ａ１３の清掃を促す警告処理が実行される。
【００７１】
これにより、電源オフ状態や、電池が抜かれた状態で撮影レンズの着脱が行われて光学部材Ａ１３にゴミが付着したとしても、前記警告により光学部材Ａ１３に付着したゴミを除去してから撮影することができる。この結果、ゴミの画像への写り込みが回避されて画像品質の低下を防止することができる。なお、電源オン状態であっても、バヨネット爪１０５−ａへの撮影レンズユニットＡ１６の着脱動作に連動する接点ブラシ１０７−４の位置情報を比較して撮影レンズの着脱を判定してもよい。
【００７２】
次に、図２４〜図３０を参照して、本発明の第３の実施形態であるデジタル一眼レフカメラを説明する。図２４は本発明の第３の実施形態であるデジタル一眼レフカメラのアンロックボタン周辺の図であり、前カバーを省略した状態を示している。なお、上記第１の実施形態と重複する部分については各図に同一符号を付してその説明を省略する。
【００７３】
図２４に示すように、アンロックボタン（係止解除操作部材）３０７は、前カバー（不図示）とＥリング３０６を用いた抜け防止構造と、圧縮バネ３０８の付勢力により被写体側に付勢力を受けつつ保持されている。
【００７４】
図２５は、アンロックボタン３０７の操作に連動する機構の分解斜視図であり、アンロックボタン３０７の撮影者側にはアンロックボタン３０７の撮影レンズの光軸方向の移動と共に同方向へ移動可能な連動レバー３００が配置されている。連動レバー３００は、レバー地板３０１に設けられた嵌合穴３０１−ａ、３０１−ｂに嵌合することで撮影レンズの光軸方向に移動可能に、且つ回転を規制された状態で保持される。
【００７５】
連動レバー３００にはレバー地板３０１に取り付けられたフォトインタラプター３０２（以下、ＰＩ３０２という）の検知部へ出入りする検知腕（可動部）３００−ａが設けられている。また、連動レバー３００には、該連動レバー３００を被写体側あるいは撮影者側に付勢するトグルバネ３０３の一端を固定するためのレバーダボ３００−ｂが設けられている。
【００７６】
レバー地板３０１には、トグルバネ３０３の他端を固定するための地板ダボ３０１−ｄ、ＰＩ３０２を取り付けるためのＰＩ取り付け部３０１−ｃ、連動レバー３００の回転を防止するための長穴３０１−ｂが設けられている。レバー地板３０１は、上述したアンロックボタン３０７の操作に連動する機構を保持した状態でミラーボックス３０９に不図示のビスで固定される。
【００７７】
また、レバー地板３０１にはモーター（駆動手段）３０５が取り付けられており、モーター３０５の駆動により連動レバー３００が撮影レンズの光軸方向に移動する。モーター３０５の回転軸３０５−ａに取り付けられた駆動腕３０４には、連動レバー３００側のレバーダボ３００−ｂに嵌合する長穴３０４−ａが設けられており、これにより、連動レバー３００の撮影レンズの光軸方向の移動を可能にしている。なお、この実施形態では、連動レバーを回転モーターの駆動により移動させているが、例えばソレノイドなど他の駆動手段を用いて連動レバーを移動させるようにしてもよい。
【００７８】
図２６は、アンロックボタン３０７の操作に連動する機構を透視した図（前カバーは省略している）である。
【００７９】
図２６に示すように、アンロックボタン３０７は圧縮バネ３０８により被写体側に付勢され、所定の位置で保持された状態である。トグルバネ３０３はレバーダボ３００−ｂと地板ダボ３０１−ｄとを遠ざける方向に付勢力を発生させることで連動レバー３００を被写体側に付勢している。連動レバー３００は、トグルバネ３０３の付勢力によりアンロックボタン３０７の撮影者側先端に当接した状態で保持されている。このとき、検知腕３００−ａはＰＩ３０２の検知部から抜け出た位置にある。モーター３０５は、通電されていない状態である。
【００８０】
図２７は、アンロックボタン３０７が押し込み操作された状態を示しており、レバー地板３０１、圧縮バネ３０８の図示は省略している。
【００８１】
図２７に示すように、アンロックボタン３０７が撮影者側に押し込まれると、アンロックボタン３０７の先端が連動レバー３００を撮影者側に押し込むため、連動レバー３００も撮影者側に移動する。ここで、アンロックボタン３０７の押し込み量の半分程度の位置にトグルバネ３０３の変極点がくるように、レバーダボ３００−ｂと地板ダボ３０１−ｄとを配置しておく。これにより、アンロックボタン３０７の押し込み操作終了時にはトグルバネ３０３の連動レバー３００に対する付勢方向が反転し、連動レバー３００を撮影者側に付勢する状態にすることができる。
【００８２】
連動レバー３００が撮影者側に付勢された状態では、検知腕３００−ａはＰＩ３０２の検知部に入り込んでいる。なお、この実施形態では、位置検知手段としてＰＩを採用したが、これに限定されず、検知腕に連動する可動部を備える検知素子であっても適用可能である。
【００８３】
図２８は、アンロックボタン３０７を押し込み操作後、指をアンロックボタン３０７から離した状態を示している。この状態では、アンロックボタン３０７は圧縮バネ３０８により被写体側に付勢されて移動し、Ｅリング３０６が前カバーに当接することで所定の位置に保持される。
【００８４】
一方、連動レバー３００はトグルバネ３０３の撮影者側への付勢力により撮影者側に寄せられた状態で保持されている。すなわち、撮影レンズユニットを外す際にアンロックボタン３０７が一度でも操作されると、連動レバー３００は撮影者側に寄せられた状態で保持される。連動レバー３００が撮影者側に付勢された状態では、検知腕３００−ａはＰＩ３０２の検知部に入り込んだ状態を保持される。
【００８５】
このため、ＰＩ３０２により検知腕３００−ａを検知するか否かで、アンロックボタン３０７の操作が行われたか否か、すなわち、撮影レンズユニットＣ１６（図２９参照）の着脱動作が行われたか否かを判定することができる。
【００８６】
図２９は本発明の第３の実施形態であるデジタル一眼レフカメラの制御ブロック図、図３０は本発明の第３の実施形態であるデジタル一眼レフカメラの動作の一例を説明するためのフローチャート図である。
【００８７】
図２９を参照しつつ図３０を用いて説明すると、図３０のステップＳ３００で電源オフ操作がなされると、ステップＳ３０１に移行する。
【００８８】
ステップＳ３０１では、カメラマイコンＣ０１は、位置検知手段Ｃ０９であるＰＩ３０２を駆動し、駆動レバー３００の検知腕３００−ａがＰＩ３０２に入り込んでいるか否かを検知する。すなわち、連動レバー３００が被写体側に保持されているか、撮影者側に保持されているかを検知する。なお、この実施形態では、電源オフ操作後に検知腕３００−ａがＰＩ３０２に入り込んでいるか否かを検知するようにしているが、これに代えて、定期的に検知腕３００−ａがＰＩ３０２に入り込んでいるか否かを検知して、電源オフ直前の検知腕３００−ａの位置情報を採用するようにしてもよい。
【００８９】
次に、ステップＳ３０２では、ステップＳ３０１で検知腕３００−ａがＰＩ３０２に入り込んでいない場合、すなわち、連動レバー３００が被写体側に保持されている場合は、ステップＳ３０３に移行して、カメラは電源オフ状態となる。一方、ステップＳ３０１で検知腕３００−ａがＰＩ３０２に入り込んでいる場合、すなわち、連動レバー３００が撮影者側に保持されている場合は、ステップＳ３０４に移行する。
【００９０】
ステップＳ３０４では、カメラマイコンＣ０１は駆動手段Ｃ１４であるモーター３０５を駆動し、連動レバー３００を被写体側に移動させる。連動レバー３００が被写体側に移動させられると、検知腕３００−ａがＰＩ３０２より抜け出るので、ＰＩ３０２の信号変化をもとにモーター３０５の駆動を停止し、ステップＳ３０３に移行して、カメラは電源オフ状態となる。すなわち、電源オフ操作後には、必ず連動レバー３００を被写体側に寄せた状態を作り出す。連動レバー３００は電源オフ状態であっても、トグルバネ３０３の付勢力により常に被写体側に保持されている。
【００９１】
電源操作部材１０２の操作により電源がオフ状態となると、システムは終了し、次に電源操作部材１０２によりオン操作が成されるまで、他の操作部材が操作されても対応する動作を行わない（ステップＳ３０５）。なお、ステップＳ３０５においては、スリープ状態からオン状態へ復帰するレリーズボタン１０４の操作に関しては、割込み処理で操作の有無のチェックを行うようにしても良い。
【００９２】
ステップＳ３０５で電源オン操作が行われたと判断されると電源はオン状態となり、システムが起動してステップＳ３０６に移行する。
【００９３】
ステップＳ３０６では、電源オン操作直後に、位置検知手段Ｃ０９であるＰＩ３０２によりに連動レバー３００の検知腕３００−ａがＰＩ３０２に入り込んでいるか否かを検知する。すなわち、連動レバー３００が被写体側に保持されているか、撮影者側に保持されているかを検知する。
【００９４】
次に、ステップＳ３０７では、ステップＳ３０６で連動レバー３００が被写体側に保持されている場合は、判定手段Ｃ１１により撮影レンズの着脱が行われていないと判定されてステップＳ３０９に移行して、撮影待機状態となる。一方、ステップＳ３０６で連動レバー３００が撮影者側に保持されている場合は、判定手段Ｃ１１により撮影レンズの着脱が行われたと判定されてステップＳ３０８に移行する。
【００９５】
ステップＳ３０８では、ＬＰＦ等の光学部材Ｃ１３の清掃を促す等の警告信号を出力した後、ステップＳ３０９に移行して撮影待機状態となる。
【００９６】
光学部材Ｃ１３の清掃を促す例としては、カメラマイコン（処理手段）Ｃ０１により表示手段Ｃ１２（例えば撮影画像確認用の液晶表示装置）に「ゴミが写り込む可能性があります」や、「ローパスフィルターの清掃をお勧めします」等を表示させることが望ましい。また、音によって光学部材Ｃ１３の清掃を促す警告を発するようにしてもよい。
【００９７】
以上説明したように、この実施形態では、アンロックボタン３０７の操作に連動して移動する検知腕３００−ａの位置情報が電源オフ時と電源オン時とで異なる場合には、電源オフ中に撮影レンズの着脱が行われたと判定され、光学部材Ｃ１３の清掃を促す警告処理が実行される。
【００９８】
これにより、電源オフ状態や、電池が抜かれた状態で撮影レンズの着脱が行われて光学部材Ｃ１３にゴミが付着したとしても、前記警告により光学部材Ｃ１３に付着したゴミを除去してから撮影することができる。この結果、ゴミの画像への写り込みが回避されて画像品質の低下を防止することができる。なお、電源オン状態であっても、アンロックボタン３０７の操作に連動して移動する検知腕３００−ａの位置情報を比較して撮影レンズの着脱を判定してもよい。
【００９９】
次に、図３１〜図３３を参照して、本発明の第４の実施形態であるデジタル一眼レフカメラを説明する。図３１は本発明の第４の実施形態であるデジタル一眼レフカメラのアンロックボタン周辺の斜視図である。図３２はバヨネット係止動作（撮影レンズユニットの着脱動作）に連動する機構の分解斜視図である。
【０１００】
なお、上記第３の実施形態は、アンロックボタン３０７の操作に連動して移動する検知腕３００−ａの位置情報を比較して撮影レンズの着脱を判定する。これに対し、この実施形態では、バヨネット係止動作に連動（第２の実施形態参照）して移動する検知腕４００−ａの位置情報を比較して撮影レンズの着脱を判定する。従って、この実施形態でのバヨネット係止動作に連動する機構は、上記第３の実施形態のアンロックボタン３０７の操作に連動する機構と略同様であるため、上記第３の実施形態と重複する部分については各図に同一符号を付してその説明を省略する。
【０１０１】
図３１および図３２に示すように、本発明の第４の実施形態であるデジタル一眼レフカメラは、連動レバー４００がミラーボックス４０１の端面から突出するように配置され、連動レバー４００の先端にはテーパー部４００−ｃが設けられている。また、モーター地板４０２は、不図示のビスによりミラーボックス４０１に固定されている。
【０１０２】
連動レバー４００のテーパー部４００−ｃの形状は、上記第２の実施形態で示した連動ピン２００のテーパー部２００−ｃと同一形状である。また、撮影レンズユニットの着脱動作に連動して連動レバー４００を撮影レンズの光軸方向に移動させる機構は、上記第２の実施形態で示した撮影レンズユニットの着脱動作に連動して連結ピン２００を撮影レンズの光軸方向に移動させる機構と同様である。
【０１０３】
連動レバー４００には、ＰＩ３０２の検知部に入り込む検知腕（可動部）４００−ａ、トグルバネ３０３の一端を固定するレバーダボ４００−ｂが設けられている。検知腕４００−ａ、レバーダボ４００−ｂは上記第３の実施形態で示した、連動レバー３００に設けられた検知腕３００−ａ、レバーダボ３００−ｂと同一形状である。
【０１０４】
モーター地板４０２には、トグルバネ３０３の他端を固定するための地板ダボ４０２−ｄ、連動レバー４００の位置を検知するＰＩ３０２を取り付けるＰＩ取り付け部４０２−ｃ、連動レバー４００の回転を防止する長穴４０２−ｂが設けられている。これらの地板ダボ４０２−ｄ、ＰＩ取り付け部４０２−ｃ、長穴４０２−ｂは、それぞれ上記第３の実施形態の地板ダボ３０１−ｄ、ＰＩ取り付け部３０１−ｃ、回転防止用の長穴３０１−ｂと同一形状である。
【０１０５】
図３３はレンズマウント１０５が固定された状態でのミラーボックス４０１の断面図であり、連動レバー４００はミラーボックス４０１に撮影レンズの光軸方向に移動可能に、且つ回転を規制された状態で保持されている。連動レバー４００は、トグルバネ３０３の付勢力により被写体側あるいは撮影者側に寄せられた状態で保持される。
【０１０６】
連動レバー４００がレンズ側バヨネット爪により撮影者側に押し込まれる動作は、上記第２の実施形態で連結ピン２００がレンズ側バヨネット爪により撮影者側に押し込まれる動作と同じであるため説明を省略する。また、連動レバー４００が撮影者側に押し込まれた状態を保持するトグルバネ３０３を用いた機構は、上記第３の実施形態の連動レバー３００が撮影者側に押し込まれた状態を保持するトグルバネ３０３を用いた機構と同じであるため説明を省略する。
【０１０７】
本実施形態の基本動作は、上記第３の実施形態において図３０で説明した内容と同じであるため、略説すると、電源オフ操作直後に、連動レバー４００が必ず被写体側に寄せられた状態で保持されるように制御される。
【０１０８】
そして、電源オン操作直後に連動レバー４００が被写体側に保持されていれば撮影レンズユニット着脱が行われなかったと判定し、撮影者側に保持されていれば撮影レンズユニット着脱が行われたと判定し、表示手段（例えば撮影画像確認用の液晶表示装置）にＬＰＦ等の光学部材の清掃を促す警告を出す。
【０１０９】
以上説明したように、この実施形態では、撮影レンズユニットの着脱動作に連動して移動する検知腕４００−ａの位置情報が電源オフ時と電源オン時とで異なる場合には、電源オフ中に撮影レンズの着脱が行われたと判定され、ＬＰＦ等の光学部材の清掃を促す警告処理が実行される。
【０１１０】
これにより、電源オフ状態や、電池が抜かれた状態で撮影レンズの着脱が行われてＬＰＦ等の光学部材にゴミが付着したとしても、前記警告により光学部材に付着したゴミを除去してから撮影することができる。この結果、ゴミの画像への写り込みが回避されて画像品質の低下を防止することができる。なお、電源オン状態であっても、撮影レンズユニットの着脱動作に連動して移動する検知腕４００−ａの位置情報を比較して撮影レンズの着脱を判定してもよい。
【０１１１】
次に、図３４〜図３６を参照して、本発明の第５の実施形態であるデジタル一眼レフカメラを説明する。図３４は本発明の第５の実施形態であるデジタル一眼レフカメラを説明するための断面図である。この実施の形態は、上記第１の実施形態において、ＬＰＦ等の光学部品についたゴミを除去するためのゴミ除去手段を追加した例である。従って、上記第１の実施形態と重複する部分についてはその説明を省略する。
【０１１２】
図３４に示すように、ミラーボックス５００はクイックリターンミラー５０１を内包している。電子撮像素子５０２の被写体側には光学部材としてのＬＰＦ５０３が配置されており、ＬＰＦ５０３とファインダー光学系５０５との間にＬＰＦ５０３に振動を与える圧電素子（振動部）５０４が配置されている。
【０１１３】
ＬＰＦ５０３近傍に配置された圧電素子５０４を駆動して振動させ、ＬＰＦ５０３に共振振動を起こさせるように制御することで、ＬＰＦ５０３の表面に付着したゴミを除去することができる。ＬＰＦ５０３とクイックリターンミラー５０１との間には、図３５に示すように、シャッター機構Ｅ０５が配置されている。なお、この実施形態では、圧電素子によりＬＰＦ５０３に振動を与えてＬＰＦ５０３に付着したゴミを除去する場合を例示したが、これに限定されず、他の方法（例えば拭き清掃タイプ）によりＬＰＦ５０３に付着したゴミを除去するようにしてもよい。
【０１１４】
次に、図３５を参照しつつ図３６を用いて本発明の第５の実施形態であるデジタル一眼レフカメラの動作の一例を説明する。図３５は本発明の第５の実施形態であるデジタル一眼レフカメラの制御ブロック図、図３６は本発明の第５の実施形態であるデジタル一眼レフカメラの動作の一例を説明するためのフローチャート図である。なお、上記第１の実施形態と重複する部分については同一符号を用いて説明する。
【０１１５】
まず、図３６のステップＳ５００で電源オフ操作がなされると、ステップＳ５０１に移行する。ステップＳ５０１では、位置検知手段Ｅ０９である位相フレキ１０７−３により電源オフ操作直後の接点ブラシ１０７−４の位置情報が検知される。
【０１１６】
次に、ステップＳ５０２で、位相フレキ１０７−３により検知された電源オフ操作直後の接点ブラシ１０７−４の位置情報が内部メモリ（記憶手段）Ｅ１０に記録される。なお、この実施形態では、電源オフ操作直後に接点ブラシ１０７−４の位置情報を検知して記録するようにしているが、これに代えて、定期的に接点ブラシ１０７−４の位置情報を検知して、電源オフ直前の位置情報を記録するようにしてもよい。
【０１１７】
ステップＳ５０２で接点ブラシ１０７−４の位置情報が内部メモリＥ１０に記録された後、ステップＳ５０３に移行して、カメラは電源オフ状態となる。
【０１１８】
電源操作部材１０２の操作により電源がオフ状態となると、システムは終了し、次に電源操作部材１０２によりオン操作が成されるまで、他の操作部材が操作されても対応する動作を行わない（ステップＳ５０４）。なお、ステップＳ５０４においては、スリープ状態からオン状態へ復帰するレリーズボタン１０４の操作に関しては、割込み処理で操作の有無のチェックを行うようにしても良い。
【０１１９】
そして、ステップＳ５０４で電源オン操作が行われたと判断されると、電源はオン状態となり、システムが起動してステップＳ５０５に移行する。
【０１２０】
ステップＳ５０５では、位置検知手段Ｅ０９である位相フレキ１０７−３により電源オン操作直後の接点ブラシ１０７−４の位置情報が検知され、ステップＳ５０６で、位相フレキ１０７−３により検知された電源オン操作直後の接点ブラシ１０７−４の位置情報が内部メモリ（記憶手段）Ｅ１０に記録される。
【０１２１】
電源オン操作直後の接点ブラシ１０７−４の位置情報が内部メモリＥ１０に記録された後、ステップＳ５０７で判定手段Ｅ１１により、内部メモリＥ１０に記録された電源オフ操作直後の位置情報と電源オン操作直後の位置情報とが比較される。そして、位置情報が一致する場合は、撮影レンズの着脱が行われていないと判定されてステップＳ５０８に移行し、位置情報が異なる場合は、撮影レンズの着脱が行われたと判定されてステップＳ５０９に移行する。
【０１２２】
ステップＳ５０８では、カメラマイコン（処理手段）Ｅ０１は振動部Ｅ１４である圧電素子５０４を第１の制御で駆動した後、ステップＳ５１０に移行して、撮影待機状態となる。
【０１２３】
一方、ステップＳ５０９では、カメラマイコン（処理手段）Ｅ０１は振動部Ｅ１４である圧電素子５０４を第２の制御で駆動して、光学部材Ｅ１３であるＬＰＦ５０３に振動を与えた後、ステップＳ５１０に移行して、撮影待機状態となる。
【０１２４】
ここで、この実施の形態では、第１の制御を、圧電素子５０４を駆動しない制御とし、第２の制御を、圧電素子５０４を所定の時間駆動する制御としているが、これに限定されない。
【０１２５】
例えば、第１の制御を、圧電素子５０４を所定の時間駆動する制御とし、第２の制御を、第１の制御よりも長い時間、圧電素子５０４を駆動する制御としてもよい。いずれにしても、撮影レンズの着脱が行われたと判定されると、撮影レンズの着脱が行われていないときよりもゴミ除去効果が高くなる制御でゴミ除去手段を駆動させる。
【０１２６】
以上説明したように、この実施形態では、アンロックボタン１０７の操作に連動して移動する接点ブラシ１０７−４の位置情報が電源オフ時と電源オン時とで異なる場合には、電源オフ中に撮影レンズの着脱が行われたと判定され、光学部材Ｅ１３に振動を与える処理が実行される。
【０１２７】
これにより、電源オフ状態や、電池が抜かれた状態で撮影レンズの着脱が行われて光学部材Ｅ１３にゴミが付着したとしても、光学部材Ｅ１３を振動させて付着したゴミを除去してから撮影することができる。この結果、ゴミの画像への写り込みが回避されて画像品質の低下を防止することができる。
【０１２８】
なお、電源オン状態であっても、アンロックボタン１０７の操作に連動して移動する接点ブラシ１０７−４の位置情報を比較して撮影レンズの着脱を判定してもよい。また、この実施形態では、上記第１の実施形態にＬＰＦ等の光学部品についたゴミを除去するためのゴミ除去手段を追加した場合を例示したが、上記第２の実施形態に同様のゴミ除去手段を追加してもよい。
【０１２９】
次に、図３７および図３８を参照して、本発明の第６の実施形態であるデジタル一眼レフカメラを説明する。図３７は本発明の第６の実施形態であるデジタル一眼レフカメラの動作の一例を説明するためのフローチャート図、図３８は本発明の第６の実施形態であるデジタル一眼レフカメラの制御ブロック図である。この実施の形態は、上記第３の実施形態において、上記第５の実施形態と同様に、ＬＰＦ等の光学部品についたゴミを除去するためのゴミ除去手段を追加した例である。従って、上記第３の実施形態と重複する部分についてはその説明を省略する。
【０１３０】
以下、図３８を参照しつつ図３７を用いて本発明の第６の実施形態であるデジタル一眼レフカメラの動作の一例を説明する。なお、上記第３および第５の実施形態と重複する部分については同一符号を用いて説明する。
【０１３１】
まず、図３７のステップＳ６００で電源オフ操作がなされると、ステップＳ６０１に移行する。
【０１３２】
ステップＳ６０１では、カメラマイコンＦ０１は、位置検知手段Ｆ０９であるＰＩ３０２を駆動し、駆動レバー３００の検知腕３００−ａがＰＩ３０２に入り込んでいるか否かを検知する。すなわち、連動レバー３００が被写体側に保持されているか、撮影者側に保持されているかを検知する。なお、この実施形態では、電源オフ操作後に検知腕３００−ａがＰＩ３０２に入り込んでいるか否かを検知するようにしているが、これに代えて、定期的に検知腕３００−ａがＰＩ３０２に入り込んでいるか否かを検知して、電源オフ直前の検知腕３００−ａの位置情報を採用するようにしてもよい。
【０１３３】
次に、ステップＳ６０２では、ステップＳ６０１で検知腕３００−ａがＰＩ３０２に入り込んでいない場合、すなわち、連動レバー３００が被写体側に保持されている場合は、ステップＳ６０３に移行して、カメラは電源オフ状態となる。一方、ステップＳ６０１で検知腕３００−ａがＰＩ３０２に入り込んでいる場合、すなわち、連動レバー３００が撮影者側に保持されている場合は、ステップＳ６０４に移行する。
【０１３４】
ステップＳ６０４では、カメラマイコンＦ０１は駆動手段Ｆ１４であるモーター３０５を駆動し、連動レバー３００を被写体側に移動させる。連動レバー３００が被写体側に移動させられると、検知腕３００−ａがＰＩ３０２より抜け出るので、ＰＩ３０２の信号変化をもとにモーター３０５の駆動を停止し、ステップＳ６０３に移行して、カメラは電源オフ状態となる。すなわち、電源オフ操作後には、必ず連動レバー３００を被写体側に寄せた状態を作り出す。連動レバー３００は電源オフ状態であっても、トグルバネ３０３の付勢力により常に被写体側に保持されている。
【０１３５】
電源操作部材１０２の操作により電源がオフ状態となると、システムは終了し、次に電源操作部材１０２によりオン操作が成されるまで、他の操作部材が操作されても対応する動作を行わない（ステップＳ６０５）。なお、ステップＳ６０５においては、スリープ状態からオン状態へ復帰するレリーズボタン１０４の操作に関しては、割込み処理で操作の有無のチェックを行うようにしても良い。
【０１３６】
ステップＳ６０５では電源オン操作が行われたと判断されると電源はオン状態となり、システムが起動してステップＳ６０６に移行する。
【０１３７】
ステップＳ６０６では、電源オン操作直後に、位置検知手段Ｆ０９であるＰＩ３０２によりに連動レバー３００の検知腕３００−ａがＰＩ３０２に入り込んでいるか否かを検知する。すなわち、連動レバー３００が被写体側に保持されているか、撮影者側に保持されているかを検知する。
【０１３８】
次に、ステップＳ６０７では、ステップＳ６０６で連動レバー３００が被写体側に保持されている場合は、判定手段Ｆ１１により撮影レンズの着脱が行われていないと判定されてステップＳ６０８に移行する。一方、ステップＳ６０６で連動レバー３００が撮影者側に保持されている場合は、判定手段Ｆ１１により撮影レンズの着脱が行われたと判定されてステップＳ６０９に移行する。
【０１３９】
ステップＳ６０８では、カメラマイコン（処理手段）Ｆ０１は振動部Ｆ１５である圧電素子５０４を第１の制御で駆動した後、ステップＳ６１０に移行して、撮影待機状態となる。
【０１４０】
一方、ステップＳ６０９では、カメラマイコン（処理手段）Ｆ０１は振動部Ｆ１５である圧電素子５０４を第２の制御で駆動して、光学部材Ｆ１３であるＬＰＦ５０３に振動を与えた後、ステップＳ６１０に移行して、撮影待機状態となる。
【０１４１】
ここで、この実施の形態では、第１の制御を、圧電素子５０４を駆動しない制御とし、第２の制御を、圧電素子５０４を所定の時間駆動する制御としているが、これに限定されない。
【０１４２】
例えば、第１の制御を、圧電素子５０４を所定の時間駆動する制御とし、第２の制御を、第１の制御よりも長い時間、圧電素子５０４を駆動する制御としてもよい。いずれにしても、撮影レンズの着脱が行われたと判定されると、撮影レンズの着脱が行われていないときよりもゴミ除去効果が高くなる制御でゴミ除去手段を駆動させる。
【０１４３】
以上説明したように、この実施形態では、アンロックボタン３０７の操作に連動して移動する検知腕３００−ａの位置情報が電源オフ時と電源オン時とで異なる場合には、電源オフ中に撮影レンズの着脱が行われたと判定され、光学部材Ｆ１３に振動を与える処理が実行される。
【０１４４】
これにより、電源オフ状態や、電池が抜かれた状態で撮影レンズの着脱が行われて光学部材Ｆ１３にゴミが付着したとしても、光学部材Ｆ１３に振動を与えて付着したゴミを除去してから撮影することができる。この結果、ゴミの画像への写り込みが回避されて画像品質の低下を防止することができる。
【０１４５】
なお、電源オン状態であっても、アンロックボタン３０７の操作に連動して移動する検知腕３００−ａの位置情報を比較して撮影レンズの着脱を判定してもよい。また、この実施形態では、上記第３の実施形態にＬＰＦ等の光学部品についたゴミを除去するためのゴミ除去手段を追加した場合を例示したが、上記第４の実施形態に同様のゴミ除去手段を追加してもよい。
【図面の簡単な説明】
【０１４６】
【図１】本発明の第１の実施形態であるデジタル一眼レフカメラを被写体側から見た斜視図である。
【図２】本発明の第１の実施形態であるデジタル一眼レフカメラの制御ブロック図である。
【図３】アンロックボタンと該アンロックボタンの操作に連動する機構の分解斜視図である。
【図４】アンロックボタンが操作されていない状態を説明するための断面図である。
【図５】カバー・カム、およびボタン・カムをカメラ内部から見た斜視図である。
【図６】回転カム部材を被写体側から見た斜視図である。
【図７】アンロックボタンが操作されていない状態を示す図である。
【図８】アンロックボタンが操作された状態を示す図である。
【図９】アンロックボタンの操作が終了した状態を示す図である。
【図１０】位相フレキに配置された導電パターンを撮影者側から見た図である。
【図１１】接点ブラシが導電パターンＡに配置された状態を示す図である。
【図１２】接点ブラシが導電パターンＢに配置された状態を示す図である。
【図１３】本発明の第１の実施形態であるデジタル一眼レフカメラの動作の一例を説明するためのフローチャート図である。
【図１４】本発明の第２の実施形態であるデジタル一眼レフカメラのレンズマウント周辺部を被写体側から見た図である。
【図１５】ミラーボックスを撮影者側から見た斜視図である。
【図１６】レンズマウントが固定された状態でのミラーボックスの断面図である。
【図１７】レンズマウントを示す斜視図である。
【図１８】レンズマウントに撮影レンズユニットの撮影レンズマウントが挿入された状態を示す斜視図である。
【図１９】図１８の状態から撮影レンズマウントを所定の位相まで回転させた状態を示す斜視図である。
【図２０】レンズマウントに撮影レンズユニットが装着されようとしている状態を示す図である。
【図２１】レンズマウントに撮影レンズユニットが装着される際に、該撮影レンズユニットが所定の位相で押し込まれた状態を示す図である。
【図２２】撮影レンズユニットを所定の位相まで回転させる途中の状態を示す図である。
【図２３】撮影レンズユニットの所定の位相までの回転が終了して装着が完了した状態を示す図である。
【図２４】本発明の第３の実施形態であるデジタル一眼レフカメラのアンロックボタン周辺部の斜視図である。
【図２５】アンロックボタンの操作に連動する機構の分解斜視図である。
【図２６】アンロックボタンの操作に連動する機構を説明するための図である。
【図２７】アンロックボタンが操作された状態を示す図である。
【図２８】アンロックボタンの操作後、指をアンロックボタンから離した状態を示す図である。
【図２９】本発明の第３の実施形態であるデジタル一眼レフカメラの制御ブロック図である。
【図３０】本発明の第３の実施形態であるデジタル一眼レフカメラの動作の一例を説明するためのフローチャート図である。
【図３１】本発明の第４の実施形態であるデジタル一眼レフカメラのアンロックボタン周辺部の斜視図である。
【図３２】バヨネット係止動作に連動する機構を説明するための分解斜視図である。
【図３３】レンズマウントが固定された状態でのミラーボックスの断面図である。
【図３４】本発明の第５の実施形態であるデジタル一眼レフカメラを説明するための断面図である。
【図３５】本発明の第５の実施形態であるデジタル一眼レフカメラの制御ブロック図である。
【図３６】本発明の第５の実施形態であるデジタル一眼レフカメラの動作の一例を説明するためのフローチャート図である。
【図３７】本発明の第６の実施形態であるデジタル一眼レフカメラの動作の一例を説明するためのフローチャート図である。
【図３８】本発明の第６の実施形態であるデジタル一眼レフカメラの制御ブロック図である。
【符号の説明】
【０１４７】
１０５−ａ        バヨネット爪（係止部）
１０７            アンロックボタン（係止解除操作部材）
１０７−２        直進カム部材（直進部材）
１０７−３        位相フレキ（位置検知手段）
１０７−４        接点ブラシ（可動部）
１０７−５        回転カム部材（回転部材）
Ａ０１            カメラマイコン（処理手段）
Ａ１０            内部メモリ（記憶手段）
Ａ１１            判定手段
Ａ１３            ＬＰＦ（光学部材）
Ａ１６            撮影レンズユニット
２００            連動ピン（直進部材）
３００−ａ        検知腕（可動部）
３０２            ＰＩ（位置検知手段）
３０３            トグルバネ
３０５            モーター（駆動手段）
３０７            アンロックボタン（係止解除操作部材）
Ｃ０Ｉ              カメラマイコン（処理手段）
Ｃ１１            判定手段
Ｃ１３            ＬＰＦ（光学部材）
Ｃ１６            撮影レンズユニット
４００−ａ        検知腕（可動部）
５０２            電子撮像素子
５０３            ＬＰＦ（光学部材）
５０４            圧電素子（振動部）
Ｅ０１            カメラマイコン（処理手段）
Ｅ１０            内部メモリ（記憶手段）
Ｅ１１            判定手段
Ｆ０１            カメラマイコン（処理手段）
Ｆ１１            判定手段
【図１】
2008033155.tif 000003
【図２】
2008033155.tif 000004
【図３】
2008033155.tif 000005
【図４】
2008033155.tif 000006
【図５】
2008033155.tif 000007
【図６】
2008033155.tif 000008
【図７】
2008033155.tif 000009
【図８】
2008033155.tif 000010
【図９】
2008033155.tif 000011
【図１０】
2008033155.tif 000012
【図１１】
2008033155.tif 000013
【図１２】
2008033155.tif 000014
【図１３】
2008033155.tif 000015
【図１４】
2008033155.tif 000016
【図１５】
2008033155.tif 000017
【図１６】
2008033155.tif 000018
【図１７】
2008033155.tif 000019
【図１８】
2008033155.tif 000020
【図１９】
2008033155.tif 000021
【図２０】
2008033155.tif 000022
【図２１】
2008033155.tif 000023
【図２２】
2008033155.tif 000024
【図２３】
2008033155.tif 000025
【図２４】
2008033155.tif 000026
【図２５】
2008033155.tif 000027
【図２６】
2008033155.tif 000028
【図２７】
2008033155.tif 000029
【図２８】
2008033155.tif 000030
【図２９】
2008033155.tif 000031
【図３０】
2008033155.tif 000032
【図３１】
2008033155.tif 000033
【図３２】
2008033155.tif 000034
【図３３】
2008033155.tif 000035
【図３４】
2008033155.tif 000036
【図３５】
2008033155.tif 000037
【図３６】
2008033155.tif 000038
【図３７】
2008033155.tif 000039
【図３８】
2008033155.tif 000040